【手続補正書】
【提出日】平成19年7月25日(2007.7.25)
【手続補正１】
【補正対象書類名】明細書
【補正対象項目名】特許請求の範囲
【補正方法】変更
【補正の内容】
【特許請求の範囲】
【請求項１】  遊技場に備えられる遊技機に対応して設置される遊技用装置であって、
該遊技機による遊技に使用可能な遊技用価値の大きさを特定可能な情報が記録された第１の遊技用記録媒体、並びに、遊技者が遊技機により遊技を行うことで獲得した獲得価値の大きさが貯蓄された貯蓄価値の大きさ及び前記遊技用価値の大きさを特定可能な情報が記録された第２の遊技用記録媒体の記録情報を少なくとも読み取る情報読み取り手段と、
該情報読み取り手段により前記第１の遊技用記録媒体または第２の遊技用記録媒体から読み取った情報から特定される遊技用価値の大きさの範囲内における所定の遊技用価値の大きさを使用して該所定の遊技用価値の大きさに応じた遊技媒体を貸与するための第１の貸与処理を行う第１の貸与処理手段と、
前記情報読み取り手段により前記第２の遊技用記録媒体から読み取った情報から特定される貯蓄価値の大きさの範囲内における所定の貯蓄価値の大きさを使用して該所定の貯蓄価値の大きさに応じた遊技媒体を貸与するための第２の貸与処理を行う第２の貸与処理手段と、
前記第１の遊技用記録媒体の記録情報から特定される遊技用価値の大きさが残存するときに、遊技者による排出操作に応じて、該第１の遊技用記録媒体を排出する排出処理を行う排出処理手段と、
前記第１の貸与処理によって前記第１の遊技用記録媒体の記録情報から特定される遊技用価値の大きさが無価値となっても該第１の遊技用記録媒体を留保する留保手段と、
貨幣を受け付けて、該受け付けた貨幣の識別を行う貨幣識別手段と、
該貨幣識別手段にて識別された貨幣金額の範囲内の所定額に相当する遊技用価値の大きさを前記留保手段にて留保している第１の遊技用記録媒体の記録情報から特定される遊技用価値の大きさに対して加算するための処理を行う価値加算手段と、
前記遊技場の所定の閉店処理に応じて、留保している第１の遊技用記録媒体の記録情報から特定される遊技用価値の大きさが残存しているか否かを確認する確認手段と、
を備え、
該確認手段にて遊技用価値の大きさが残存していると確認された場合に、前記留保している第１の遊技用記録媒体を排出する排出処理を前記排出処理手段により行う
ことを特徴とする遊技用装置。
【請求項２】  前記確認手段にて遊技用価値の大きさが残存していると確認された場合に、前記留保している第１の遊技用記録媒体を排出する排出処理を前記排出処理手段により行うとともに、新たな第１の遊技用記録媒体の受付けを禁止する請求項１に記載の遊技用装置。
【請求項３】  前記確認手段にて遊技用価値の大きさが残存していると確認された場合に、前記留保している第１の遊技用記録媒体を排出する排出処理を前記排出処理手段により行うとともに、貨幣の受付けを禁止する請求項１または２に記載の遊技用装置。
【請求項４】  前記情報読み取り手段により第２の遊技用記録媒体から読み取った情報に基づいて前記遊技用価値の大きさを特定するための処理を、前記第２の遊技用記録媒体の受付けに応じて実施する一方、前記貯蓄価値の大きさを特定するための処理を、前記第２の貸与処理を行う旨の要求に応じて実施する請求項１〜３のいずれかに記載の遊技用装置。
【請求項５】  前記第２の遊技用記録媒体の所有者を特定するための所有者識別情報を受付けるための所有者識別情報受付手段を備えるとともに、該所有者識別情報受付手段にて受付けた所有者識別情報に基づいて前記貯蓄価値の大きさを特定するための処理を行う請求項１〜４のいずれかに記載の遊技用装置。
【請求項６】  前記第２の貸与処理における遊技媒体の貸与を、前記第１の貸与処理と同様の処理形態にて実施する請求項１〜５のいずれかに記載の遊技用装置。
【請求項７】  前記第２の遊技用記録媒体が受付けられている間において、遊技者が、前記第１の貸与処理と前記第２の貸与処理とを適宜選択可能な貸与処理選択手段を具備する請求項１〜６のいずれかに記載の遊技用装置。
【手続補正２】
【補正対象書類名】明細書
【補正対象項目名】０００６
【補正方法】変更
【補正の内容】
【０００６】
【課題を解決するための手段】
前記した問題を解決するために、本発明の遊技用装置は、
遊技場に備えられる遊技機に対応して設置される遊技用装置であって、
該遊技機による遊技に使用可能な遊技用価値の大きさを特定可能な情報が記録された第１の遊技用記録媒体、並びに、遊技者が遊技機により遊技を行うことで獲得した獲得価値の大きさが貯蓄された貯蓄価値の大きさ及び前記遊技用価値の大きさを特定可能な情報が記録された第２の遊技用記録媒体の記録情報を少なくとも読み取る情報読み取り手段と、
該情報読み取り手段により前記第１の遊技用記録媒体または第２の遊技用記録媒体から読み取った情報から特定される遊技用価値の大きさの範囲内における所定の遊技用価値の大きさを使用して該所定の遊技用価値の大きさに応じた遊技媒体を貸与するための第１の貸与処理を行う第１の貸与処理手段と、
前記情報読み取り手段により前記第２の遊技用記録媒体から読み取った情報から特定される貯蓄価値の大きさの範囲内における所定の貯蓄価値の大きさを使用して該所定の貯蓄価値の大きさに応じた遊技媒体を貸与するための第２の貸与処理を行う第２の貸与処理手段と、
前記第１の遊技用記録媒体の記録情報から特定される遊技用価値の大きさが残存するときに、遊技者による排出操作に応じて、該第１の遊技用記録媒体を排出する排出処理を行う排出処理手段と、
前記第１の貸与処理によって前記第１の遊技用記録媒体の記録情報から特定される遊技用価値の大きさが無価値となっても該第１の遊技用記録媒体を留保する留保手段と、
貨幣を受け付けて、該受け付けた貨幣の識別を行う貨幣識別手段と、
該貨幣識別手段にて識別された貨幣金額の範囲内の所定額に相当する遊技用価値の大きさを前記留保手段にて留保している第１の遊技用記録媒体の記録情報から特定される遊技用価値の大きさに対して加算するための処理を行う価値加算手段と、
前記遊技場の所定の閉店処理に応じて、留保している第１の遊技用記録媒体の記録情報から特定される遊技用価値の大きさが残存しているか否かを確認する確認手段と、
を備え、
該確認手段にて遊技用価値の大きさが残存していると確認された場合に、前記留保している第１の遊技用記録媒体を排出する排出処理を前記排出処理手段により行う
ことを特徴としている。
この特徴によれば、同一の前記第２の遊技用記録媒体に、貯蓄価値の大きさ及び前記遊技用価値の大きさを特定可能な情報が記録されていて、遊技用価値の大きさを使用した第１の貸与処理と貯蓄価値の大きさを使用した第２の貸与処理がなされるようになるため、遊技者は複数のカードを携行することなく、前記遊技用価値の大きさを使用する第１の貸与処理、或いは貯蓄価値の大きさを使用する第２の貸与処理を受けて遊技を実施できるようになるとともに、遊技場にとっては、貯蓄価値の大きさを使用する第２の貸与処理である貯蓄再プレイを、これら第２の貸与処理を実施する装置を個別に設けることなく導入できることで、これら導入に伴うコストをより低いコストに抑えることができる。また、遊技場の閉店処理において、留保している第１の遊技用記録媒体の記録情報から特定される遊技用有価価値の大きさが残存している場合には、該留保している第１の遊技用記録媒体を排出させることができる。
【手続補正３】
【補正対象書類名】明細書
【補正対象項目名】０００７
【補正方法】変更
【補正の内容】
【０００７】
本発明の遊技用装置は、前記確認手段にて遊技用価値の大きさが残存していると確認された場合に、前記留保している第１の遊技用記録媒体を排出する排出処理を前記排出処理手段により行うとともに、新たな第１の遊技用記録媒体の受付けを禁止することが好ましい。
このようにすれば、閉店処理後、留保されている第１の遊技用記録媒体が排出された後に、新たに第１の遊技用記録媒体が受け付けられることがない。
【手続補正４】
【補正対象書類名】明細書
【補正対象項目名】０００８
【補正方法】変更
【補正の内容】
【０００８】
本発明の遊技用装置は、前記確認手段にて遊技用価値の大きさが残存していると確認された場合に、前記留保している第１の遊技用記録媒体を排出する排出処理を前記排出処理手段により行うとともに、貨幣の受付けを禁止することが好ましい。
このようにすれば、閉店処理後、留保されている第１の遊技用記録媒体が排出されるとともに、新たに貨幣が受け付けられることがない。
【手続補正５】
【補正対象書類名】明細書
【補正対象項目名】０００９
【補正方法】変更
【補正の内容】
【０００９】
本発明の遊技用装置は、前記情報読み取り手段により第２の遊技用記録媒体から読み取った情報に基づいて前記遊技用価値の大きさを特定するための処理を、前記第２の遊技用記録媒体の受付けに応じて実施する一方、前記貯蓄価値の大きさを特定するための処理を、前記第２の貸与処理を行う旨の要求に応じて実施することが好ましい。
このようにすれば、前記第２の遊技用記録媒体を受付けた場合には、遊技用価値の大きさを特定する処理が優先的に実施され、貯蓄価値の大きさを特定するための処理は、前記第２の貸与処理を行う旨の要求がなされない限り実施されないようになるため、前記第２の遊技用記録媒体の受付け時に前記貯蓄価値の大きさを特定するための処理が実施されることに伴う遊技者の手間を省くことができるばかりか、これら前記貯蓄価値の大きさを特定するための処理に要する時間分の稼働率も向上できる。
【手続補正６】
【補正対象書類名】明細書
【補正対象項目名】００１０
【補正方法】変更
【補正の内容】
【００１０】
本発明の遊技用装置は、前記第２の遊技用記録媒体の所有者を特定するための所有者識別情報を受付けるための所有者識別情報受付手段を備えるとともに、該所有者識別情報受付手段にて受付けた所有者識別情報に基づいて前記貯蓄価値の大きさを特定するための処理を行うことが好ましい。
このようにすれば、所有者識別情報受付手段にて受付けた所有者識別情報を用いて前記貯蓄価値を特定するための処理を行うことで、正規の所有者以外の第三者が、前記貯蓄価値を使用することを防止することができる。
【手続補正７】
【補正対象書類名】明細書
【補正対象項目名】００１２
【補正方法】変更
【補正の内容】
【００１２】
本発明の遊技用装置は、前記第２の遊技用記録媒体が受付けられている間において、遊技者が、前記第１の貸与処理と前記第２の貸与処理とを適宜選択可能な貸与処理選択手段を具備することが好ましい。
このようにすれば、遊技者は、異なる貸与処理への移行を第２の遊技用記録媒体の再受付けを実施することなく、第２の遊技用記録媒体が受付けられている状態にて実施できるようになり、遊技者の使い勝手を向上できる。
【手続補正８】
【補正対象書類名】明細書
【補正対象項目名】０１５７
【補正方法】変更
【補正の内容】
【０１５７】
前記実施例における各要素は、本発明に対して以下のように対応している。
本発明の請求項１は、遊技場に備えられる遊技機（パチンコ機２）に対応して設置される遊技用装置（カードユニット３）であって、
該遊技機（パチンコ機２）による遊技に使用可能な遊技用価値（残度数）の大きさを特定可能な情報（カードＩＤ、残度数）が記録された第１の遊技用記録媒体（ビジターカード３８）、並びに、遊技者が遊技機により遊技を行うことで獲得した獲得価値の大きさが貯蓄された貯蓄価値（貯玉）の大きさ及び前記遊技用価値（残度数）の大きさを特定可能な情報（会員ＩＤ、カードＩＤ、残度数）が記録された第２の遊技用記録媒体（会員カード３７）の記録情報を少なくとも読み取る情報読み取り手段（カードリーダライタ３２７）と、
該情報読み取り手段（カードリーダライタ３２７）により前記第１の遊技用記録媒体（ビジターカード３８）または第２の遊技用記録媒体（会員カード３７）から読み取った情報から特定される遊技用価値の大きさの範囲内における所定の遊技用価値の大きさを使用して該所定の遊技用価値の大きさに応じた遊技媒体を貸与するための第１の貸与処理（図１３、１６の貸出処理）を行う第１の貸与処理手段と、
前記情報読み取り手段（カードリーダライタ３２７）により前記第２の遊技用記録媒体（会員カード３７）から読み取った情報から特定される貯蓄価値の大きさの範囲内における所定の貯蓄価値の大きさを使用して該所定の貯蓄価値の大きさに応じた遊技媒体を貸与するための第２の貸与処理（図１５、１６の再プレイ処理）を行う第２の貸与処理手段と、
前記第１の遊技用記録媒体（ビジターカード３８）の記録情報から特定される遊技用価値の大きさが残存するときに、遊技者による排出操作に応じて、該第１の遊技用記録媒体（ビジターカード３８）を排出する排出処理を行う排出処理手段と、
前記第１の貸与処理（図１３、１６の貸出処理）によって前記第１の遊技用記録媒体（ビジターカード３８）の記録情報から特定される遊技用価値の大きさが無価値となっても該第１の遊技用記録媒体（ビジターカード３８）を留保する留保手段と、
貨幣を受け付けて、該受け付けた貨幣の識別を行う貨幣識別手段（紙幣識別ユニット３２２、硬貨識別ユニット３２４）と、
該貨幣識別手段（紙幣識別ユニット３２２、硬貨識別ユニット３２４）にて識別された貨幣金額の範囲内の所定額に相当する遊技用価値の大きさを前記留保手段にて留保している第１の遊技用記録媒体（ビジターカード３８）の記録情報から特定される遊技用価値の大きさに対して加算するための処理（入金処理）を行う価値加算手段と、
前記遊技場の所定の閉店処理に応じて、留保している第１の遊技用記録媒体（ビジターカード３８）の記録情報から特定される遊技用価値の大きさが残存しているか否かを確認する確認手段と、
を備え、
該確認手段にて遊技用価値の大きさが残存していると確認された場合に、前記留保している第１の遊技用記録媒体（ビジターカード３８）を排出する排出処理を前記排出処理手段により行う。
【手続補正９】
【補正対象書類名】明細書
【補正対象項目名】０１５８
【補正方法】変更
【補正の内容】
【０１５８】
本発明の請求項２は、前記確認手段にて遊技用価値の大きさが残存していると確認された場合に、前記留保している第１の遊技用記録媒体（ビジターカード３８）を排出する排出処理を前記排出処理手段により行うとともに、新たな第１の遊技用記録媒体（ビジターカード３８）の受付けを禁止する。
【手続補正１０】
【補正対象書類名】明細書
【補正対象項目名】０１５９
【補正方法】変更
【補正の内容】
【０１５９】
本発明の請求項３は、前記確認手段にて遊技用価値の大きさが残存していると確認された場合に、前記留保している第１の遊技用記録媒体（ビジターカード３８）を排出する排出処理を前記排出処理手段により行うとともに、貨幣の受付けを禁止する。
【手続補正１１】
【補正対象書類名】明細書
【補正対象項目名】０１６０
【補正方法】変更
【補正の内容】
【０１６０】
本発明の請求項４は、前記情報読み取り手段により第２の遊技用記録媒体（会員カード３７）から読み取った情報に基づいて前記遊技用価値の大きさを特定するための処理を、前記第２の遊技用記録媒体（会員カード３７）の受付けに応じて実施する一方、前記貯蓄価値の大きさを特定するための処理を、前記第２の貸与処理を行う旨の要求に応じて実施する。
【手続補正１２】
【補正対象書類名】明細書
【補正対象項目名】０１６１
【補正方法】変更
【補正の内容】
【０１６１】
本発明の請求項５は、前記第２の遊技用記録媒体（会員カード３７）の所有者を特定するための所有者識別情報（暗証番号）を受付けるための所有者識別情報受付手段（テンキー３１５）を備えるとともに、該所有者識別情報受付手段（テンキー３１５）にて受付けた所有者識別情報（暗証番号）に基づいて前記貯蓄価値の大きさを特定するための処理を行う。
【手続補正１３】
【補正対象書類名】明細書
【補正対象項目名】０１６３
【補正方法】変更
【補正の内容】
【０１６３】
本発明の請求項７は、前記第２の遊技用記録媒体（会員カード３７）が受付けられている間において、遊技者が、前記第１の貸与処理（図１３、１６の貸出処理）と前記第２の貸与処理（図１５、１６の再プレイ処理）とを適宜選択可能な貸与処理選択手段（プレイ選択ボタン３１６）を具備する。
【手続補正１４】
【補正対象書類名】明細書
【補正対象項目名】０１９４
【補正方法】変更
【補正の内容】
【０１９４】
【発明の効果】
本発明は次の効果を奏する。
（ａ）請求項１の発明によれば、同一の前記第２の遊技用記録媒体に、貯蓄価値の大きさ及び前記遊技用価値の大きさを特定可能な情報が記録されていて、遊技用価値の大きさを使用した第１の貸与処理と貯蓄価値の大きさを使用した第２の貸与処理がなされるようになるため、遊技者は複数のカードを携行することなく、前記遊技用価値の大きさを使用する第１の貸与処理、或いは貯蓄価値の大きさを使用する第２の貸与処理を受けて遊技を実施できるようになるとともに、遊技場にとっては、貯蓄価値の大きさを使用する第２の貸与処理である貯蓄再プレイを、これら第２の貸与処理を実施する装置を個別に設けることなく導入できることで、これら導入に伴うコストをより低いコストに抑えることができる。また、遊技場の閉店処理において、留保している第１の遊技用記録媒体の記録情報から特定される遊技用有価価値の大きさが残存している場合には、該留保している第１の遊技用記録媒体を排出させることができる。
【手続補正１５】
【補正対象書類名】明細書
【補正対象項目名】０１９５
【補正方法】変更
【補正の内容】
【０１９５】
（ｂ）請求項２の発明によれば、閉店処理後、留保されている第１の遊技用記録媒体が排出された後に、新たに第１の遊技用記録媒体が受け付けられることがない。
【手続補正１６】
【補正対象書類名】明細書
【補正対象項目名】０１９６
【補正方法】変更
【補正の内容】
【０１９６】
（ｃ）請求項３の発明によれば、閉店処理後、留保されている第１の遊技用記録媒体が排出されるとともに、新たに貨幣が受け付けられることがない。
【手続補正１７】
【補正対象書類名】明細書
【補正対象項目名】０１９７
【補正方法】変更
【補正の内容】
【０１９７】
（ｄ）請求項４の発明によれば、前記第２の遊技用記録媒体を受付けた場合には、遊技用価値の大きさを特定する処理が優先的に実施され、貯蓄価値の大きさを特定するための処理は、前記第２の貸与処理を行う旨の要求がなされない限り実施されないようになるため、前記第２の遊技用記録媒体の受付け時に前記貯蓄価値の大きさを特定するための処理が実施されることに伴う遊技者の手間を省くことができるばかりか、これら前記貯蓄価値の大きさを特定するための処理に要する時間分の稼働率も向上できる。
【手続補正１８】
【補正対象書類名】明細書
【補正対象項目名】０１９８
【補正方法】変更
【補正の内容】
【０１９８】
（ｅ）請求項５の発明によれば、所有者識別情報受付手段にて受付けた所有者識別情報を用いて前記貯蓄価値を特定するための処理を行うことで、正規の所有者以外の第三者が、前記貯蓄価値を使用することを防止することができる。
【手続補正１９】
【補正対象書類名】明細書
【補正対象項目名】０２００
【補正方法】変更
【補正の内容】
【０２００】
（ｇ）請求項７の発明によれば、遊技者は、異なる貸与処理への移行を第２の遊技用記録媒体の再受付けを実施することなく、第２の遊技用記録媒体が受付けられている状態にて実施できるようになり、遊技者の使い勝手を向上できる。